(57)【特許請求の範囲】
【請求項１】
電子タクシーチケットの発行者により用いられる発行者端末と、電子タクシーチケットの利用者により用いられる利用者端末と、タクシー会社により用いられるタクシー会社端末とからネットワークを介してアクセス可能な電子タクシーチケット発行装置であって、
催事ＩＤを含む催事情報を前記発行者端末から受信する催事情報受信部と、
前記催事ＩＤ及び他の識別コードと区別する個別情報を含む識別コードが前記利用者端末により読み込まれ、その読み込まれた識別コードに含まれる催事ＩＤ及び個別情報と前記利用者端末の利用者ＩＤとを前記利用者端末から受信する読込情報受信部と、
前記読込情報受信部により受信された利用者ＩＤと催事ＩＤと個別情報とを対応付けて記憶する記憶部と、
前記読込情報受信部により受信された催事ＩＤ及び個別情報が前記記憶部に対応付けて記憶されている催事ＩＤ及び個別情報と一致するか否かを判定する個別情報判定部と、
前記個別情報判定部が不一致と判定したとき、電子タクシーチケットの取得を可能にする電子チケット情報を前記利用者端末に送信する電子チケット情報送信部と、を備える、電子タクシーチケット発行装置。
【請求項２】
請求項１に記載の電子タクシーチケット発行装置であって、さらに、
前記読込情報受信部により受信された利用者ＩＤ及び催事ＩＤが前記記憶部に対応付けて記憶されている利用者ＩＤ及び催事ＩＤと一致するか否かを判定する組合せ判定部を備え、
前記電子チケット情報送信部は、前記組合せ判定部が不一致と判定したとき、前記電子チケット情報を前記利用者端末に送信する、電子タクシーチケット発行装置。
【請求項３】
請求項１又は２に記載の電子タクシーチケット発行装置であって、
前記催事情報は、電子タクシーチケットの有効期限を含み、
前記電子タクシーチケット発行装置はさらに、
前記有効期限の確認要求を前記利用者端末から受信する確認要求受信部と、
前記電子タクシーチケットが有効期限内か否かを判定する有効期限判定部と、
前記有効期限判定部が前記タクシーチケットが有効期限内でないと判定したとき、前記利用者端末に前記電子タクシーチケットを無効にさせる有効期限送信部とを備える、電子タクシーチケット発行装置。
【請求項４】
請求項１〜３のいずれか１項に記載の電子タクシーチケット発行装置であって、さらに、
タクシー会社ＩＤを含む識別コードとタクシー料金とが前記利用者端末により読み込まれ、その読み込まれたタクシー会社ＩＤとタクシー料金とを前記利用者端末から受信するタクシー料金受信部を備える、電子タクシーチケット発行装置。
【請求項５】
電子タクシーチケットの発行者により用いられる発行者端末と、電子タクシーチケットの利用者により用いられる利用者端末と、タクシー会社により用いられるタクシー会社端末とからネットワークを介してアクセス可能な電子タクシーチケット発行方法であって、
催事ＩＤを含む催事情報を前記発行者端末から受信するステップと、
前記催事ＩＤ及び他の識別コードと区別する個別情報を含む識別コードが前記利用者端末により読み込まれ、その読み込まれた識別コードに含まれる催事ＩＤ及び個別情報と前記利用者端末の利用者ＩＤとを前記利用者端末から受信するステップと、
前記受信された利用者ＩＤと催事ＩＤと個別情報とを対応付けて記憶するステップと、
前記受信された催事ＩＤ及び個別情報が前記対応付けて記憶されている催事ＩＤ及び個別情報と一致するか否かを判定するステップと、
前記催事ＩＤ及び個別情報が不一致と判定されたとき、電子タクシーチケットの取得を可能にする電子チケット情報を前記利用者端末に送信するステップと、を備える、電子タクシーチケット発行方法。
【請求項６】
請求項５に記載の各ステップをコンピュータに実行させるための電子タクシーチケット発行プログラム。
【発明の詳細な説明】
【技術分野】
【０００１】
本開示は、電子タクシーチケット発行装置、特に、催事に参加する利用者に電子タクシーチケットを発行する電子タクシーチケット発行装置に関する。
【背景技術】
【０００２】
従来、タクシーチケット発行会社が発行した紙製のタクシーチケットが流通している。タクシーチケットの利用者は、タクシー乗車時、タクシーチケットをタクシー運転手に手渡す。タクシー会社は、利用後の多数のタクシーチケットを取りまとめ、タクシーチケットを配布した者に、タクシー利用代金を請求する。このような紙製のタクシーチケットは、管理が煩雑である。
【０００３】
これに対し、特許第６３８７５４５号公報は、電子タクシーチケット発行管理システムを開示している（特許文献１）。この電子タクシーチケット発行管理システムは、タクシーチケットを発行する発行者と、発行者とタクシーチケットの利用について契約を結んだ契約者と、契約者から提供されるタクシーチケットを用いてタクシーを利用する利用者と、タクシーを運行するタクシー運行者とによって用いられる。例えば、所定の催事において、契約者は、催事の被招待者に対して催事への招待状を送信し、催事への参加／不参加の回答を求める。契約者は、催事に参加すると回答した被招待者（利用者）にのみタクシーチケットを発行できるようにする。利用者は、可搬型端末に表示される「チケット発行」ボタンを押し、所定の催事等が指定されたタクシーチケットを発行した上で、タクシーを利用する。これにより、催事に参加する被招待者（利用者）は、催事会場への移動に際し、電子タクシーチケットを利用することができる。
【先行技術文献】
【特許文献】
【０００４】
【特許文献１】特許第６３８７５４５号公報
【発明の概要】
【発明が解決しようとする課題】
【０００５】
しかしながら、従来の電子タクシーチケット発行管理システムは、催事の際、催事に招待された特定の被招待者と催事とが予め紐づけられて登録されており、その特定の被招待者（利用者）にのみ電子タクシーチケットが発行可能になる。そのため、特定の利用者しか電子タクシーチケットを利用できず、例えば、特定の利用者が急病や急用で催事に参加できず代理の参加者が催事に参加する場合には電子タクシーチケットを利用できない。したがって、従来の電子タクシーチケット発行管理システムは、利便性に欠けるという問題があった。
【０００６】
そこで、本開示は、特定の利用者が催事に参加できない場合などに、代理の参加者でも電子タクシーチケットを利用することができる、利便性に優れた電子タクシーチケット発行装置を提供することを課題とする。
【課題を解決するための手段】
【０００７】
上記課題を解決するために、本開示は次のように構成した。すなわち、本開示に係る電子タクシーチケット発行装置は、電子タクシーチケットの発行者により用いられる発行者端末と、電子タクシーチケットの利用者により用いられる利用者端末と、タクシー会社により用いられるタクシー会社端末とからネットワークを介してアクセス可能としてよい。電子タクシーチケット発行装置は、催事ＩＤを含む催事情報を発行者端末から受信する催事情報受信部を備えてよい。電子タクシーチケット発行装置は、催事ＩＤ及び他の識別コードと区別する個別情報を含む識別コードが利用者端末により読み込まれ、その読み込まれた識別コードに含まれる催事ＩＤ及び個別情報と利用者端末の利用者ＩＤとを利用者端末から受信する読込情報受信部を備えてよい。電子タクシーチケット発行装置は、読込情報受信部により受信された利用者ＩＤと催事ＩＤと個別情報とを対応付けて記憶する記憶部を備えてよい。電子タクシーチケット発行装置は、読込情報受信部により受信された催事ＩＤ及び個別情報が記憶部に対応付けて記憶されている催事ＩＤ及び個別情報と一致するか否かを判定する個別情報判定部を備えてよい。電子タクシーチケット発行装置は、個別情報判定部が不一致と判定したとき、電子タクシーチケットの取得を可能にする電子チケット情報を利用者端末に送信する電子チケット情報送信部を備えてよい。
【０００８】
また、電子タクシーチケット発行装置は、好ましくは、読込情報受信部により受信された利用者ＩＤ及び催事ＩＤが記憶部に対応付けて記憶されている利用者ＩＤ及び催事ＩＤと一致するか否かを判定する組合せ判定部を備えてよい。電子チケット情報送信部は、前記組合せ判定部が不一致と判定したとき、電子チケット情報を利用者端末に送信してよい。
【０００９】
また、電子タクシーチケット発行装置は、好ましくは、催事情報が電子タクシーチケットを利用可能な所定の期間を含んでよい。前記電子タクシーチケット発行装置はさらに、利用者端末により識別コードが読み込まれた時の日付が前記所定の期間に含まれる否かを判定する日付判定部を備えてよい。
【００１０】
また、電子タクシーチケット発行装置は、好ましくは、催事情報が電子タクシーチケットの有効期限を含んでよい。電子タクシーチケット発行装置はさらに、有効期限の確認要求を前記利用者端末から受信する確認要求受信部を備えてよい。電子タクシーチケット発行装置は、電子タクシーチケットが有効期限内か否かを判定する有効期限判定部を備えてよい。電子タクシーチケット発行装置は、有効期限判定部が前記タクシーチケットが有効期限内でないと判定したとき、利用者端末に電子タクシーチケットを無効にさせる有効期限送信部を備えてよい。
【００１１】
また、電子タクシーチケット発行装置は、好ましくは、さらに、タクシー会社ＩＤを含む識別コードとタクシー料金とが利用者端末により読み込まれ、その読み込まれたタクシー会社ＩＤとタクシー料金とを利用者端末から受信するタクシー料金受信部を備えてよい。
【００１２】
また、電子タクシーチケット発行方法は、電子タクシーチケットの発行者により用いられる発行者端末と、電子タクシーチケットの利用者により用いられる利用者端末と、タクシー会社により用いられるタクシー会社端末とからネットワークを介してアクセス可能としてよい。電子タクシーチケット発行方法は、催事ＩＤを含む催事情報を発行者端末から受信するステップを備えてよい。電子タクシーチケット発行方法は、催事ＩＤ及び他の識別コードと区別する個別情報を含む識別コードが利用者端末により読み込まれ、その読み込まれた識別コードに含まれる催事ＩＤ及び個別情報と利用者端末の利用者ＩＤとを利用者端末から受信するステップを備えてよい。電子タクシーチケット発行方法は、受信された利用者ＩＤと催事ＩＤと個別情報とを対応付けて記憶するステップを備えてよい。電子タクシーチケット発行方法は、受信された催事ＩＤ及び個別情報が前記対応付けて記憶されている催事ＩＤ及び個別情報と一致するか否かを判定するステップを備えてよい。電子タクシーチケット発行方法は、催事ＩＤ及び個別情報が不一致と判定されたとき、電子タクシーチケットの取得を可能にする電子チケット情報を利用者端末に送信するステップを備えてよい。
【００１３】
さらに、電子タクシーチケット発行プログラムは、上述の各ステップをコンピュータに実行させるために用いてよい。
【発明の効果】
【００１４】
本開示に係る電子タクシーチケット発行装置によれば、特定の利用者が催事に参加できない場合などに、代理の参加者でも電子タクシーチケットを利用することができ、利便性を向上させることができる。
【図面の簡単な説明】
【００１５】
【図１】図１は、本実施形態に係る電子タクシーチケット発行システムの構成を示す機能ブロック図である。
【図２】図２は、図１に示す発行者端末の構成を示す機能ブロック図である。
【図３】図３は、図１に示す利用者端末の構成を示す機能ブロック図である。
【図４】図４は、図１に示すタクシー会社端末の構成を示す機能ブロック図である。
【図５】図５は、図１に示すサーバの構成を示す機能ブロック図である。
【図６】図６は、図１に示すサーバ内の発行者情報、利用者情報及びタクシー会社情報のデータベースの一例を示す図である。
【図７】図７は、図１に示すサーバ内の催事情報、電子チケット情報及び請求情報のデータベースの一例を示す図である。
【図８】図８は、図１に示すサーバ内に発行者情報等を登録する動作を示すフロー図である。
【図９】図９は、図１に示す利用者端末とサーバとの電子タクシーチケットの発行の動作を示すフロー図である。
【図１０】図１０は、図１に示す利用者端末とサーバとの電子タクシーチケットの有効期限を確認する動作を示すフロー図である。
【図１１】図１１は、図１に示す利用者端末とサーバとの電子タクシーチケットの利用の動作を示すフロー図である。
【図１２】図１２は、図１に示す発行者端末とタクシー会社端末とサーバとのタクシー料金の請求の動作を示すフロー図である。
【図１３】図１３は、利用者端末の表示部に表示される電子タクシーチケットを発行するための初期画面を示す図である。
【図１４】図１４は、利用者端末に表示される識別コードの読込の画面を示す図である。
【図１５】図１５は、利用者端末に表示される電子タクシーチケットの発行の画面を示す図である。
【図１６】図１６は、利用者端末に表示される電子タクシーチケットが発行された際の初期画面を示す図である。
【図１７】図１７は、利用者端末に表示される電子タクシーチケットを利用する初期画面を示す図である。
【図１８】図１８は、利用者端末に表示される電子タクシーチケットの選択画面を示す図である。
【図１９】図１９は、利用者端末に表示される電子タクシーチケットを利用する際の画面を示す図である。
【図２０】図２０は、利用者端末に表示されるタクシー料金等の読込の画面を示す図である。
【図２１】図２１は、利用者端末に表示されるタクシー料金の支払いの画面を示す図である。
【図２２】図２２は、利用者端末に表示される電子タクシーチケットの利用済みの画面を示す図である。
【発明を実施するための形態】
【００１６】
以下、本開示の実施形態に係る電子タクシーチケット発行システム１を図面に基づいて具体的に説明する。図１に示すように、電子タクシーチケット発行システム１は、発行者端末１０と、利用者端末２０と、タクシー会社端末３０と、電子タクシーチケット発行装置としてのサーバ４０とを備える。
【００１７】
発行者端末１０は、電子タクシーチケットの発行者によって操作されるＰＣ等の端末であり、ネットワーク１００を介してサーバ４０にアクセス可能である。発行者は、例えば、催事の招待者（主催者）等である。発行者は、主催する催事の被招待者（利用者）等に対し、電子タクシーチケットを発行し、利用者がタクシーを利用した際のタクシー料金を利用者に代わってタクシー会社に支払う。
【００１８】
利用者端末２０は、携帯電話、スマートフォン、タブレット型端末などの携帯通信端末である。本実施形態では、利用者端末２０がインターネット接続やカメラ機能を備えたスマートフォンである場合を例に説明する。利用者端末２０は、電子タクシーチケットの利用者によって操作され、電子タクシーチケットを利用するために用いられる。利用者端末２０は、ネットワーク１００を介してサーバ４０にアクセス可能である。利用者は、例えば、催事の被招待者又は被招待者に代わって催事に参加する代理の参加者等である。
【００１９】
タクシー会社端末３０は、タクシー会社によって操作されるＰＣ等の端末であり、ネットワーク１００を介してサーバ４０にアクセス可能である。タクシー会社は、利用者による電子タクシーチケットの利用に応じて、発行者にタクシー料金を請求する。
【００２０】
サーバ４０は、発行者端末１０と利用者端末２０とタクシー会社端末３０とから受信する各種の情報を処理する。また、サーバ４０は、発行者端末１０と利用者端末２０とタクシー会社端末３０とへ送信する各種の情報を処理する。具体的には、後述する各ステップをサーバ４０に実行させるための電子タクシーチケット発行プログラムがインストールされる。
【００２１】
図２に示す通り、発行者端末１０は、入力部１１０と、入力部１１０によって入力された発行者情報をサーバ４０に送信する発行者情報送信部１２０と、入力部１１０によって入力された催事情報をサーバ４０に送信する催事情報送信部１３０とを備える。発行者情報と催事情報の詳細については、後述する。入力部１１０は、例えば、キーボードである。なお、発行者端末１０は、周知のＰＣ端末と同様に、ディスプレイなどの表示部、ＣＰＵ、主記憶装置又は補助記憶装置などを備えている。
【００２２】
図３に示す通り、利用者端末２０は、入力部２１０と、入力部２１０によって入力された利用者情報をサーバ４０に送信する利用者情報送信部２２０と、識別コードを読み込むための識別コード読込部２３０と、識別コード読込部２３０によって読み込まれた読込情報をサーバ４０へ送信する読込情報送信部２４０とを備える。利用者情報の詳細については、後述する。識別コードは、例えば、二次元コード、数字コード又は文字コードである。識別コードが二次元コードである場合、識別コード読込部２３０は、二次元コードを読み込むためのカメラ機能である。識別コードが数字コード又は文字コードである場合、識別コード読込部２３０は、数字コード又は文字コードを入力するための入力部２１０、例えば、表示部も兼ねるタッチパネルであり、この入力によって数字コード又は文字コードが利用者端末２０に読み込まれる。このように識別コード読込部２３０は、種々の識別コードを利用者端末２０に読み込むことができれば特に限定されるものではない。なお、本実施形態では、識別コードを二次元コードとし、識別コード読込部をカメラ機能として説明する。また、詳しくは後述するが、二次元コードには、他の二次元コードと区別するための個別情報として、通し番号（連続番号）が含まれている。
【００２３】
また、利用者端末２０はさらに、サーバ４０から送信された電子チケット情報を記憶する電子チケット情報記憶部２５０と、タクシーに搭載されたタクシー料金メータの料金とタクシードライバ識別コードを読み込むタクシー料金読込部２６０を備える。利用者は、利用者端末２０を用いて、サーバ４０から送信された電子チケット情報に基づき、電子タクシーチケットを取得する。その後、タクシーに乗車し、電子タクシーチケットを利用する。利用者端末２０は、周知のスマートフォンと同様に、タッチパネル、ＣＰＵ、主記憶装置又は補助記憶装置などを備えている。
【００２４】
図４に示す通り、タクシー会社端末３０は、入力部３１０と、入力部３１０によって入力されたタクシー会社情報をサーバ４０に送信するタクシー会社情報送信部３２０と、タクシー料金の請求情報をサーバ４０に送信する請求情報送信部３３０とを備える。タクシー会社情報の詳細については、後述する。入力部１１０は、例えば、キーボードである。なお、タクシー会社端末３０は、周知のＰＣ端末と同様に、ディスプレイなどの表示部、ＣＰＵ、主記憶装置又は補助記憶装置などを備えている。
【００２５】
図５に示す通り、サーバ４０は、発行者端末１０、利用者端末２０又はタクシー会社端末３０から各種の情報を受信する受信部４１０と、各種の情報を記憶する記憶部４２０と、各種の判定をする判定部４３０と、発行者端末１０、利用者端末２０又はタクシー会社端末３０へ各種の情報を送信する送信部４４０とを備える。
【００２６】
受信部４１０は、発行者端末１０からチケット発行者の発行者情報を受信する発行者情報受信部４１１と、利用者端末２０からチケット利用者の利用者情報を受信する利用者情報受信部４１２と、タクシー会社端末３０からタクシー会社情報を受信するタクシー会社情報受信部４１３と、発行者端末１０から催事情報を受信する催事情報受信部４１４と、利用者端末２０によって読み込まれた読込情報を利用者端末２０から受信する読込情報受信部４１５と、利用者端末２０から電子タクシーチケットの有効期限の確認要求を受信する確認要求受信部４１６と、利用者がタクシーを利用した際にタクシーの料金情報とタクシードライバ情報とを受信するタクシー料金受信部４１７とを備える。
【００２７】
記憶部４２０は、発行者情報を記憶する発行者情報記憶部４２１と、利用者情報を記憶する利用者情報記憶部４２２と、タクシー会社情報を記憶するタクシー会社情報記憶部４２３と、催事情報を記憶する催事情報記憶部４２４と、電子タクシーチケットの情報を記憶する電子チケット情報記憶部４２５とを備える。
【００２８】
判定部４３０は、同じ催事において同じ通し番号（個別情報）を含む二次元コードが過去に読み込まれたことがあるか否かを判定する個別情報判定部４３１と、同じ催事において同じ利用者が過去に同じ催事で用いられる二次元コードを読み込んだことがあるか否かを判定する組合せ判定部４３２と、電子タクシーチケットが有効期限内にあるか否かを判定する有効期限判定部４３３と、利用者端末２０で取得された電子タクシーチケットが利用されたか否かを判定する利用実績判定部４３４とを備える。
【００２９】
送信部４４０は、サーバ４０で生成された電子チケット情報を利用者端末２０に送信する電子チケット情報送信部４４１と、有効期限判定部４３３の判定により電子タクシーチケットが有効期限内にないことを利用者端末２０に送信する有効期限送信部４４２と、タクシー料金の請求情報をタクシー会社端末３０と発行者端末１０とに送信する請求情報送信部４４３とを備える。
【００３０】
次に、サーバ４０に記憶される各種データベースについて、図６及び図７を用いてその一例を説明する。
【００３１】
発行者情報は、上述の通り、初回のアカウント登録の際に発行者端末１０から受信し、発行者情報記憶部４２１に記憶される。発行者情報データベースは、図６に示すように、チケットの発行者ＩＤ、パスワード、催事を主催する会社名等の発行者名、発行者が組織である場合には担当者名、連絡先、アカウント作成日などの発行者情報を発行者ごとに記憶する。なお、アカウント作成日は、上述の通り、発行者端末１０から送信された発行者情報をサーバ４０の発行者情報記憶部４２１に記憶した日である。
【００３２】
利用者情報は、初回のアカウント登録の際に利用者端末２０から受信し、利用者情報記憶部４２２に記憶される。利用者情報データベースは、図６に示すように、チケットの利用者ＩＤ、パスワード、氏名、連絡先又はアカウント作成日などの利用者情報をチケットの利用者ごとに記憶する。なお、アカウント作成日は、上述の通り、利用者端末２０から送信された利用者情報をサーバ４０の利用者情報記憶部４２２に記憶した日である。
【００３３】
タクシー会社情報は、初回のアカウント登録の際にタクシー会社端末３０から受信し、タクシー会社情報記憶部４２３に記憶される。タクシー会社情報データベースは、図６に示すように、タクシー会社ＩＤ、パスワード、会社名、担当者名、連絡先、所属するタクシードライバのドライバＩＤ、アカウント作成日、請求締日などのタクシー会社情報をタクシー会社ごとに記憶する。なお、アカウント作成日は、上述の通り、タクシー会社端末３０から送信されたタクシー会社情報をサーバ４０のタクシー会社情報記憶部４２３に記憶した日である。
【００３４】
催事情報は、図７に示すように、発行者端末２０から受信し、催事情報記憶部４２４に記憶される。催事情報データベースは、催事ＩＤ、催事名、開催日時、発行者ＩＤ、電子タクシーチケットの有効期限、電子タクシーチケットの上限金額、発行者が設定する催事の参加人数などの催事情報を催事ごとに記憶する。なお、この催事の参加人数にあわせて二次元コードが生成される。例えば、参加人数が３０人である場合には、同じ催事ＩＤと、互いに異なる通し番号を含む３０通りの二次元コードが生成される。
【００３５】
電子チケット情報は、利用者端末２０によって読み込まれた読込情報を利用者端末２０から受信したのち、サーバ４０で生成され、電子チケット情報記憶部４２６に記憶される。図７に示すように、電子チケット情報データベースは、チケットＩＤ、催事ＩＤ、チケットの利用者ＩＤ、通し番号、チケット取得日、電子タクシーチケットの有効期限の有効・無効フラグ、チケット利用日、利用金額、利用したタクシー会社ＩＤ、ドライバＩＤなどを記憶する。電子タクシーチケットが発行済みでその有効期限が切れた場合は、電子タクシーチケットに無効フラグが立つ。
【００３６】
請求情報は、タクシー会社端末３０から受信する請求書発行要求ごとに、サーバ４０によって生成される。請求情報データベースは、図７に示すように、請求番号、請求者（タクシー会社ＩＤ）、支払者（発行者ＩＤ）、タクシー会社ごとの請求合計金額を記憶する。この請求金額に基づき、タクシー会社は、発行者に対してタクシー料金の支払いを請求する。
【００３７】
この図６及び図７に示すデータベースは一例であり、どの情報をどのデータベースに記憶させるかは、適宜変更してもよい。
【００３８】
（発行者等の各種情報登録時の動作）
図８を参照して、電子タクシーチケットの発行者、利用者、タクシー会社のアカウント情報と、催事情報とをサーバ４０に登録する動作を説明する。
【００３９】
図８に示すように、発行者端末１０は、入力部１１０から発行者情報が入力され、例えば発行者端末１０の表示部に表示された「送信ボタン」が押されると、発行者情報送信部１２０からサーバ４０へ発行者情報を送信する（Ｓ１００１）。サーバ４０は、発行者情報受信部４１１で発行者情報を受信すると、発行者情報記憶部４２１に発行者情報を登録する（Ｓ１００２）。入力部１１０から入力される発行者情報は、例えば、発行者ＩＤ、パスワード、催事の招待者（主催者）等の発行者の会社名、担当者、連絡先などである。また、発行者情報記憶部４２１は、発行者情報を登録した日（アカウント作成日）も登録する。この動作は、いわゆる発行者のアカウント登録であるため、アカウント情報の変更等がない限り、初回のアカウント登録時にのみ処理される。
【００４０】
利用者端末２０は、入力部２１０から利用者情報が入力され、例えば利用者端末２０の表示部に表示された「送信ボタン」が押されると、利用者情報送信部２２０からサーバ４０へ利用者情報を送信する（Ｓ１００３）。サーバ４０は、利用者情報受信部４１２で利用者情報を受信すると、利用者情報記憶部４２２に利用者情報を登録する（Ｓ１００４）。入力部２１０から入力される利用者情報は、例えば、利用者ＩＤ、パスワード、氏名、連絡先などである。また、利用者情報記憶部４２２は、利用者情報を登録した日（アカウント作成日）も登録する。この動作は、いわゆる利用者のアカウント登録であるため、アカウント情報の変更がない限り、初回のアカウント登録時にのみ処理される。なお、利用者は、事前に電子タクシーチケット取得用のアプリケーションを利用者端末２０にインストールしている。
【００４１】
タクシー会社端末３０は、入力部３１０からタクシー会社情報が入力され、例えば、タクシー会社端末３０の表示部に表示された「送信ボタン」が押されると、タクシー会社情報送信部３２０からサーバ４０へタクシー会社情報を送信する（Ｓ１００５）。サーバ４０は、タクシー会社情報受信部４１３でタクシー会社情報を受信すると、タクシー会社情報記憶部４２３にタクシー会社情報を登録する（Ｓ１００６）。入力部３１０から入力されるタクシー会社情報は、例えば、例えば、タクシー会社ＩＤ、パスワード、会社名、担当者、連絡先、タクシー会社に所属するタクシードライバのドライバＩＤ、タクシー代金の請求締日などである。また、タクシー会社情報記憶部４２３は、タクシー会社情報を登録した日（アカウント作成日）も記憶する。この動作は、いわゆるタクシー会社のアカウント登録であるため、アカウント情報の変更がない限り、初回のアカウント登録時のみ処理される。ただし、新しいタクシードライバが入社した場合や在職中のタクシードライバが退職した場合など、所属するタクシードライバの人事に変更がある場合に、タクシー会社端末３０から入力されたタクシードライバの変更情報に基づき、タクシー会社情報記憶部４２３においてドライバＩＤを変更する処理が必要となる。
【００４２】
また、発行者端末１０は、入力部１１０から催事情報が入力され、例えば発行者端末１０の表示部に表示された「送信ボタン」が押されると、催事情報送信部１３０からサーバ４０へ催事情報を送信する（Ｓ１００７）。サーバ４０は、催事情報受信部４１４で催事情報を受信すると、催事情報記憶部４２４に催事情報を登録する（Ｓ１００８）。催事情報は、例えば、催事ＩＤ、催事名称、催事の開催日時、発行者ＩＤ、電子タクシーチケットを利用できる有効期限、電子タクシーチケットの利用上限金額、催事の参加人数などである。この動作は、発行者が開催する各種の催事において、催事ごとに処理される。また、上述の二次元コードは、この催事の参加人数に応じて複数発行され、各々の二次元コードに個別情報（通し番号）が付与される。なお、催事には、各種イベント、会議、会合又はサークルの集まりなど、種々の催事を含む。
【００４３】
（電子タクシーチケット発行時の動作）
図９に示すフロー図と、図１３〜１６に示す利用者端末２０の表示部２１の画面遷移図を参照して、利用者端末２０で電子タクシーチケットを取得する際の流れについて説明する。催事に招待された被招待者（利用者）は、催事会場で二次元コード２１ａが表示された用紙を受け取る。あるいは、被招待者は、被招待者の自宅等への郵送により、二次元コード２１ａが表示された用紙を受け取る。また、被招待者の利用者端末２０に二次元コード２１ａをＥメールにより受信してもよい。被招待者が識別コードを受け取ることができればその送付方法は限定されない。二次元コード（識別コード）２１ａは、催事ＩＤと、この二次元コード２１ａを他の二次元コードと区別する通し番号（個別情報）を含んでいる。図１３に示すように、利用者は、電子タクシーチケット取得用のアプリケーションを起動し、初期画面から「コード読取」ボタン２１ｂを選択する。図１４に示すように、この二次元コード２１ａを利用者が保有する利用者端末２０の識別コード読込部２３０で読込む（Ｓ１１０１）。すると、利用者端末２０は、利用者端末２０に記憶されている利用者ＩＤと、二次元コード２１ａに含まれる催事ＩＤと通し番号とを読込情報送信部２４０からサーバ４０へ送信する（Ｓ１１０２）。この際、例えば圏外等によって利用者端末２０とサーバ４０との間で通信ができない場合、読込情報送信部２０は、一旦、催事ＩＤと通し番号とを含む読込情報を利用者端末２０に記憶し、サーバ４０への送信が可能になるまで定期的に送信を試みる。サーバ４０への送信が失敗すると、利用者端末２０は、表示部２１に「通信失敗エラー」を表示する（Ｓ１１０３）。
【００４４】
サーバ４０は、読込情報受信部４１５で、利用者ＩＤと催事ＩＤと通し番号とを利用者端末２０から受信する（Ｓ１１０４）。サーバ４０は、電子チケット情報記憶部４２５に利用者ＩＤと催事ＩＤと通し番号とを記憶する。すると、サーバ４０は、利用者端末２０で二次元コードを読み込んだ利用者がすでにアカウント登録をしているか否かを判定する（Ｓ１１０５）。具体的には、読込情報とともに受信した利用者ＩＤと一致する利用者ＩＤが、利用者情報記憶部４２２にあるか否かを判定する。アカウント登録がされていないと判定すると、サーバ４０は、利用者端末２０に対し、アカウント登録がされていないことを通知する。利用者端末２０は、表示部２１に「アカウント未登録」を表示する（Ｓ１１０６）。
【００４５】
サーバ４０は、利用者がすでにアカウント登録をしていると判定すると、受信した催事ＩＤに対応する催事情報を発行者がすでに登録しているか否かを判定する（Ｓ１１０７）。具体的には、読込情報として受信した催事ＩＤと一致する催事ＩＤが、催事情報記憶部４２４にあるか否かを判定する。催事情報が登録されていないと判定すると、サーバ４０は、利用者端末２０に対し、催事情報が登録されていないことを通知する。利用者端末２０は、表示部２１に「催事未登録」を表示する（Ｓ１１０８）。
【００４６】
次に、サーバ４０は、過去に同じ通し番号を含む二次元コード２１ａが読み込まれたことがある否かを個別情報判定部４３１によって判定する。具体的には、個別情報判定部４３１は、二次元コード２１ａに含まれる催事ＩＤと通し番号の組合せと一致する組合せの催事ＩＤと通し番号が電子チケット情報記憶部４２５にあるか否かを判定する（Ｓ１１０９）。換言すれば、個別情報判定部４３１は、読込情報受信部４１５により受信された催事ＩＤ及び個別情報が記憶部４２０（電子チケット情報記憶部４２５）に対応付けて記憶されている催事ＩＤ及び個別情報と一致するか否かを判定する（Ｓ１１０９）。過去に同じ組合せの催事ＩＤと通し番号が記憶されている場合、すなわち、同じ通し番号と催事ＩＤを含む二次元コード２１ａがすでに使用されている場合、サーバ４０は、その二次元コード２１ａがすでに使用されていることを利用者端末２０に通知する。利用者端末２０は、表示部２１に「二次元コード使用済みエラー」を表示する（Ｓ１１１０）。これにより、同じ二次元コード２１ａを１回しか使用できないようにすることができる。すなわち、同じ二次元コード２１ａを複数の利用者が読み込んで、同じ二次元コード２１ａから複数の利用者が各々電子タクシーチケットを取得することを防止することができる。
【００４７】
過去に同じ二次元コード２１ａが利用されていないと個別情報判定部４３１が判定すると、サーバ４０は、過去に同じ利用者が同じ催事において電子タクシーチケットを取得したか否かを組合せ判定部４３２によって判定する。具体的には、二次元コード２１ａに含まれる催事ＩＤと利用者ＩＤとの組合せと一致する組合せの催事ＩＤと利用者ＩＤが電子チケット情報記憶部４２５にあるか否かを判定する（Ｓ１１１１）。換言すれば、組合せ判定部４３２は、読込情報受信部４１５により受信された利用者ＩＤ及び催事ＩＤが記憶部４２０（電子チケット情報記憶部４２５）に対応付けて記憶されている利用者ＩＤ及び催事ＩＤと一致するか否かを判定する（Ｓ１１１１）。組合せ判定部４３２が過去に同じ組合せの利用者ＩＤと催事ＩＤがあると判定すると、サーバ４０は、利用者端末２０に同じ組合せの利用者ＩＤと催事ＩＤがあることを通知する。利用者端末２０は、表示部２１に「チケット取得済みエラー」を表示する（Ｓ１１１２）。これにより、同じ利用者が１枚しか電子タクシーチケットを利用できないようにすることができる。すなわち、同じ利用者が複数の二次元コード２１ａから複数の電子タクシーチケットを取得することを防止することができる。
【００４８】
組合せ判定部４３２が同じ組合せの利用者ＩＤと催事ＩＤがないと判定すると、サーバ４０は、電子チケット情報を生成するとともに、二次元コード２１ａを読み込んだ利用者端末２０に対して電子チケット情報送信部４４１から電子チケット情報を送信する（Ｓ１１１３）。
【００４９】
ここで送信される電子チケット情報は、電子チケット情報記憶部４２５から読み出されたチケットＩＤ、催事ＩＤ、利用者ＩＤと、催事情報記憶部４２４から読み出された電子タクシーチケットの有効期限、電子タクシーチケットで利用できる上限金額等とを含む。電子チケット情報は、電子タクシーチケットの取得を可能にするものである。
【００５０】
なお、本実施形態においては、個別情報判定部４３１の判定をしてから組合せ判定部４３２の判定をしたが、この判定手順に限定されるものではなく、組合せ判定部４３２の判定をしてから個別情報判定部４３１の判定をしてもよい。また、催事の種類や参加人数等、催事の態様によっては、個別情報判定部４３１又は組合せ判定部４３２のいずれか一方を設けてもよい。
【００５１】
電子チケット情報を受信した利用者端末２０は、電子チケット情報を電子チケット情報記憶部２５０に記憶する（Ｓ１１１４）。同時に、利用者端末２０は、この電子チケット情報に基づき、図１５に示すように、表示部２１に「チケット取得」ボタン２１ｃを表示させる。二次元コード２１ａの読込等に成功すると、表示部２１には自動的に図１５に示す画面が表示される。利用者は、「チケット取得」ボタン２１ｃを押すことにより、電子タクシーチケットを取得できる（Ｓ１１１５）。利用者端末２０は、電子タクシーチケットが取得されたことをサーバ４０に通知する。サーバ４０は、電子チケット情報記憶部４２５にチケット取得日を追加して更新する（Ｓ１１１６）。電子タクシーチケットの取得が完了すると、利用者端末２０は、図１６に示す画面ように、表示部２１の下段に「チケット発行がされました」のトーストメッセージ２１ｄと、表示部の「チケットを使う」ボタン２１ｅの左上に利用可能なチケット数（図１４では「１」）とを表示させる。なお、複数の電子タクシーチケットを取得していた場合は、その数に応じたチケット数を表示させる。
【００５２】
これにより、催事に招待された被招待者が急病や急用で催事に参加できなくなった場合であっても、代理の参加者（利用者）が自身の利用者端末２０に二次元コード２１ａを読込ませることにより、電子タクシーチケットを利用できるようになる。したがって、電子タクシーチケット発行システム１は、利用者の利便性を向上させることができる。また、個別情報判定部４３１を設けたことにより、同じ二次元コード２１ａが何度も読み込まれ、同じ二次元コード２１ａから複数の電子タクシーチケットが取得されるという不正を防止することができる。また、組合せ判定部４３２を設けたことにより、例えば、同じ催事において、二次元コードが表示された用紙が複数配布された場合などに、同じ利用者によって複数の電子タクシーチケットが利用されるという不正を防止することができる。
【００５３】
なお、本実施形態では、事前に利用者情報をサーバ４０の利用者情報記憶部２２０に記憶させる、すなわち、事前に利用者のアカウント登録を行うようにしたが、利用者端末２０で二次元コード２１ａを読込むのと同時に、利用者端末２０の利用者情報送信部２２０から利用者情報をサーバ４０に送信するようにしてもよい。あるいは、利用者のアカウントが未登録であるとサーバ４０が判定した段階で、サーバ４０から利用者端末２０に利用者情報の送信、すなわち、アカウント登録を促すようにしてもよい。
【００５４】
（チケット有効期限を確認する動作）
次に、利用者端末２０で発行可能となった電子タクシーチケットが有効期限内か否かを確認するための動作について、図１０を参照して説明する。
【００５５】
まず、利用者端末２０は、電子チケット情報記憶部２５０に記憶されている電子チケット情報の有無を確認し、電子チケット情報が記憶されていた場合に、その電子チケット情報に基づく電子タクシーチケットの有効期限をサーバ４０に対して確認要求する（Ｓ１２０１）。確認要求の際、利用者端末２０は、利用者端末２０に記憶されている利用者ＩＤも同時に送信する。サーバ４０が有効期限の確認要求を確認要求受信部４１６で受信すると、サーバ４０は、同時に受信した利用者ＩＤを確認し（Ｓ１２０２）、確認要求をした利用者端末２０の利用者がアカウント登録されているか否かを判定する。具体的には、サーバ４０は、利用者情報記憶部４２２に同じ利用者ＩＤが記憶されているか否かを判定する（Ｓ１２０３）。サーバ４０は、利用者ＩＤがないと判定すると、利用者端末２０に利用者ＩＤがないことを通知する。利用者端末２０は、表示部２１に「アカウント未登録」を表示する（Ｓ１２０４）。
【００５６】
利用者情報記憶部４２２に利用者ＩＤがある、すなわち、アカウント登録がされているとサーバ４０が判定すると、有効期限判定部４３３は、その電子チケット情報の有効期限が、催事情報記憶部４２４に記憶された電子タクシーチケットの有効期限内にあるか否かを判定する（Ｓ１２０５）。具体的には、サーバ４０で設定されている日時と催事情報記憶部４２４に記憶されている有効期限とを比較し、電子タクシーチケットの有効期限が切れているか否かを判定する。電子タクシーチケットが有効期限内にないと有効期限判定部４３３が判定すると、サーバ４０は、有効期限内にないことを有効期限送信部４４２から利用者端末２０に通知する。利用者端末２０は、表示部２１に「有効期限切れ表示」をし、その電子タクシーチケットを利用できないように無効化する（Ｓ１２０６）。一方、電子タクシーチケットが有効期限内にあると有効期限判定部４３３が判定すると、サーバ４０は、有効期限内にあることを有効期限送信部４４２から利用者端末２０に通知する。利用者端末２０は、電子チケット情報をそのまま保持する（Ｓ１２０７）。
【００５７】
この動作を定期的に行うことにより、すなわち、サーバ４０で設定されている日時に基づき、電子タクシーチケットの有効期限を管理することにより、利用者が利用者端末２０で設定された日時を実際の日時から変更し、電子タクシーチケットの有効期限を延ばす等の不正を防止することができる。
【００５８】
（電子タクシーチケット利用時の動作）
次に、図１１に示すフロー図と、図１７〜２２に示す画面遷移図を参照して、電子タクシーチケットの利用時の動作について説明する。
【００５９】
利用者は、タクシーに乗車して目的地に到着すると、電子タクシーチケット取得用のアプリケーションを起動し、図１７に示すように、表示部２１に表示された「チケットを使う」ボタン２１ｅを押す。そして、図１８に示すように、利用者端末２０に表示された電子タクシーチケットの一覧から今回利用する電子タクシーチケットを選択する（Ｓ１３０１）。利用者端末２０は、今回利用される電子タクシーチケットが選択され、図１９に示すように、「チケット利用」ボタン２１ｆが押されると、この電子タクシーチケットが有効期限内にあるか否かを利用者端末２０に記憶された電子チケット情報の電子タクシーチケットの有効期限と利用者端末２０で設定された日時を比較することにより判定する（Ｓ１３０２）。利用者端末２０は、電子タクシーチケットが有効期限内にないと判定すると、表示部２１に「有効期限エラー」の表示をし、電子タクシーチケットを利用できないようにする（Ｓ１３０３）。このように、電子タクシーチケットの利用時には、利用者端末２０で電子タクシーチケットの有効期限を確認してもよいが、上述の通り、電子タクシーチケットの利用時においても、サーバ４０に有効期限の確認要求をしてもよい。
【００６０】
利用者端末２０は、電子タクシーチケットが有効期限にあると判定すると、タクシー料金読込部２６０から乗車したタクシー料金を読み込めるようにする。図２０に示すように、タクシー料金読込部２６０は、利用者端末２０が備えるカメラ機能である。タクシー料金読込部２６０は、タクシー内に搭載されたタクシー料金メータ２１ｇに表示された料金の数値を認識し、タクシー料金を料金情報として読み込む。また、タクシー料金メータ２１ｇ近傍には、タクシー会社を識別するための二次元コード２１ｈ（識別コード）が表示されている。タクシー料金読込部２６０は、タクシー料金の読込みと同時に、この二次元コード２１ｈも読込む（Ｓ１３０４）。二次元コード２１ｈには、タクシー会社ＩＤとタクシードライバのドライバＩＤなどのタクシードライバ情報が含まれる。なお、利用者端末２０は、タクシー料金読込部２６０が読込みに失敗すると、表示部に「読込みエラー」を表示する（Ｓ１３０５）。これにより、利用者端末２０は、利用者に再度タクシー料金と二次元コード２１ｇを読込むように促す。
【００６１】
タクシー料金読込部２６０がタクシー料金と二次元コード２１ｈの読込みに成功すると、利用者端末２０は、タクシー料金が利用者端末２０の電子チケット情報記憶部２５０に記憶された電子タクシーチケットの上限金額内にあるか否かを判定する（Ｓ１３０６）。具体的には、利用者端末２０は、料金情報のタクシー料金と電子チケット情報記憶部２５０に記憶された上限金額を比較することにより、タクシー料金が上限金額内にあるか否かを判定する。タクシー料金が上限金額内にあると判定した場合、利用者端末２０は、図２１に示すように、表示部２１に「チケットで支払い」ボタン２１ｉを表示する。利用者が「チケットで支払い」ボタン２１ｉを押すと、タクシー料金の支払いが完了する。一方、タクシー料金が上限金額を超過していた場合、特に図示はしないが、利用者端末２０は、上限金額までは電子タクシーチケットで支払い、上限金額を超過する料金については現金又はクレジットカード等の電子タクシーチケット以外での支払い方法でタクシー料金を支払うことを促すような表示を表示部２１にする（Ｓ１３０７）。
【００６２】
このようにタクシー料金の支払いが完了すると、利用者端末２０は、タクシーの利用料金の料金情報と、タクシー会社ＩＤ及びドライバＩＤを含むタクシードライバ情報をサーバ４０に送信する。サーバ４０は、利用者端末２０からこれらの情報をタクシー料金受信部４１７で受信すると、電子チケット情報記憶部４２５にこれら情報を追加し、更新する（Ｓ１３０８）。サーバ４０は、電子チケット情報記憶部４２５の更新が完了すると、その更新完了を利用者端末２０に通知する。そして、利用者端末２０も、電子チケット情報記憶部２５０の電子チケット情報を更新する（Ｓ１３０９）。利用者端末２０は、図２２に示すように、電子タクシーチケットの一覧画面で電子タクシーチケットが利用済みであることを表示し、利用者が同じ電子タクシーチケットを利用できないようにする。なお、圏外等で通信環境が悪く、利用料金、タクシー会社ＩＤ及びドライバＩＤをサーバ４０に送信できない場合や何らかの理由でサーバ４０の電子チケット情報を更新できない場合、利用者端末２０は、電子チケット情報が更新に失敗したものであると記録し、送信が成功するまで定期的にこれら情報の送信を試みる（Ｓ１３１０）。
【００６３】
（請求から入金までの動作）
次に、図１２を参照して、タクシー会社が発行者にタクシー料金を請求し、入金されるまでの動作について説明する。
【００６４】
タクシー会社の担当者は、タクシー会社端末３０において請求管理画面にログインする。例えば担当者が請求管理画面に表示された「請求書発行」ボタンを押すと、タクシー会社端末３０は、サーバ４０に対して請求書発行要求を送信する（Ｓ１４０１）。この請求書発行要求は、タクシー会社ごとの締日に従って定期的に行われる。例えば、あるタクシー会社の締日が月末である場合には、締日の翌日（締日の翌月初日）に前月分の請求書発行要求を行う。サーバ４０が請求書発行要求を受信すると、サーバ４０の利用実績判定部４３５は、電子チケット情報記憶部４２５に記憶されたチケット発行日やチケット利用日に基づき、発行済みでありながら利用実績がない電子チケット情報があるか否かを判定する（Ｓ１４０２）。このような電子チケット情報がないと利用実績判定部４３４が判定すると、サーバ４０は、請求情報送信部４４３から請求情報をタクシー会社端末３０に送信する。請求情報を受信したタクシー会社端末３０は、請求締日に従って表示部に請求情報を表示する（Ｓ１４０３）。担当者は、この請求情報を確認して問題がなければ、請求管理画面に表示された「請求確定」ボタンを押し、請求を確定させる（Ｓ１４０４）。請求情報には、請求情報を識別する請求番号、請求者（タクシー会社ＩＤ）、支払者（発行者ＩＤ）、電子チケット情報に含まれるチケット利用日と利用金額から算出された請求金額合計の各情報が含まれている。請求情報は、請求情報記憶部４２６に記憶される。
【００６５】
一方、利用実績判定部４３５が、発行済みで利用実績がない電子チケット情報があると判定した場合、有効期限判定部４３４は、催事情報記憶部４２４に記憶された催事情報に含まれる有効期限に基づき、発行された電子タクシーチケットの有効期限が切れているか否かを判定する（Ｓ１４０５）。有効期限が切れていないと有効期限判定部４３４が判定すると、サーバ４０は、発行済みで利用実績がない電子タクシーチケットがあることをタクシー会社端末３０に通知する。タクシー会社端末３０は、この通知を受信すると、表示部に「警告」を表示する（Ｓ１４０６）。これは、利用者が電子タクシーチケットを発行し、さらにその電子タクシーチケットを利用したにもかかわらず、通信状況等の障害により電子タクシーチケットの利用実績が送信されていない可能性があることを警告するためである。
【００６６】
有効期限が切れていると有効期限判定部４３４が判定した場合、サーバ４０は、その電子タクシーチケットが利用者によって発行はされたが利用されなかったものであると判断し、請求情報送信部４４２から請求情報を送信する。請求情報を受信したタクシー会社端末３０は、表示部に請求情報を表示する。タクシー会社端末３０は、担当者によってこの請求情報には問題がないと判断され、請求管理画面に表示された「請求確定」ボタンが押されると、請求情報を確定させる（Ｓ１４０４）。
【００６７】
このように請求情報が確定されると、タクシー会社端末３０は、請求情報送信部３３０からサーバ４０へ確定された請求情報を送信する。サーバ４０は、この請求情報をタクシー会社端末３０から受信すると、請求情報送信部４４３から発行者端末１０に対し、請求情報を送信する（Ｓ１４０７）。
【００６８】
発行者端末１０は、請求情報送信部４４３から請求情報を受信する（Ｓ１４０８）。その後、発行者端末１０は、請求情報を表示部に表示させる（Ｓ１４０９）。発行者の担当者は、この請求情報を確認する。その後、担当者は、例えば、請求情報とともに表示された支払い方法により、請求金額をタクシー会社に対して支払う（Ｓ１４１０）。タクシー会社の担当者は、入金された金額を確認する（Ｓ１４１１）。
【００６９】
なお、タクシー会社は、電子チケット情報に記憶された利用金額及びドライバＩＤを確認することにより、各ドライバの月々の売上げを把握することができる。
【００７０】
（変形例）
上記実施形態では、催事の被招待者又はその被招待者の代理の参加者が自身の利用者端末２０によって識別コードを読み込み、１つの電子タクシーチケットを取得したが、例えば、催事会場へ向かう往路で利用する電子タクシーチケットと催事会場から帰る復路で利用する電子タクシーチケットとの２つの電子タクシーチケットが必要になる場合がある。その場合、利用者は、同じ催事の２つの識別コードを受け取ることができる。利用者は、１つ目の識別コードを読み込んで往路で１つ目の電子タクシーチケットを利用し、２つ目の識別コードを読み込んで復路で２つ目の電子タクシーチケットを利用する。これにより、利用者は、２つの電子タクシーチケットを利用することができる。２つの識別コードには、別々の個別情報（通し番号）が付与されている。そのため、２人以上の利用者が１つの電子タクシーチケットを重複利用するという不正使用を防止することができる。
【００７１】
なお、１つ目の識別コードを読み込んだ際、記憶部４２０（電子チケット情報記憶部４２５）には利用者ＩＤ及び催事ＩＤが対応付けて記憶される。そのため、２つ目の識別コードを読み込んだ際、図９に示すフロー図に従えば、組合せ判定部４３２による判定（Ｓ１１１１）によって利用者は２つ目の電子タクシーチケットを取得できなくなる。そのため、同じ催事で２つの識別コードを利用者端末２０に読み込ませる場合は、組合せ判定部４３２による判定（Ｓ１１１１）を省略してもよい。また、３つ以上の識別コードを場面に応じて読み込むようにしてもよい。
【００７２】
また、１つの識別コードを読み込むことにより、２つ以上の電子タクシーチケットを発行するようにしてもよい。
【００７３】
以上、実施形態について説明したが、本開示は、上記実施形態に限定されるものではなく、その趣旨を逸脱しない限りにおいて種々の変更が可能である。
【符号の説明】
【００７４】
１      電子タクシーチケット発行システム
１０    発行者端末
２０    利用者端末
３０    タクシー会社端末
４０    サーバ（電子タクシーチケット発行装置）
４１０  受信部、４１４  催事情報受信部、４１５  読込情報受信部、４１６  確認要求受信部、４１７  タクシー料金受信部
４２０  記憶部
４３０  判定部、４３１  個別情報判定部、４３２  組合せ判定部、４３３  有効期限判定部
４４０  送信部、４４１  電子チケット情報送信部
【要約】
【課題】特定の利用者が催事に参加できない場合などに、代理の参加者でも電子タクシーチケットを利用することができ、利便性を向上させることができる電子タクシーチケット発行装置を提供する。
【解決手段】電子タクシーチケット発行装置（サーバ４０）は、発行者端末１０と利用者端末２０とにネットワークを介してアクセス可能であって、催事ＩＤを含む催事情報を発行者端末１０から受信する。サーバ４０は、利用者端末２０により読み込まれた識別コードに含まれる催事ＩＤ及び他の識別コードと区別する個別情報と利用者ＩＤとを利用者端末２０から受信し、受信した利用者ＩＤと催事ＩＤと個別情報とを対応付けて記憶し、受信した催事ＩＤ及び個別情報が記憶部４２０に対応付けて記憶されている催事ＩＤ及び個別情報と一致するか否かを判定し、一致と判定したとき、電子タクシーチケットの取得を可能にする電子チケット情報を利用者端末２０に送信する。
【選択図】図５【図１】
0006663068.tif 000002
【図２】
0006663068.tif 000003
【図３】
0006663068.tif 000004
【図４】
0006663068.tif 000005
【図５】
0006663068.tif 000006
【図６】
0006663068.tif 000007
【図７】
0006663068.tif 000008
【図８】
0006663068.tif 000009
【図９】
0006663068.tif 000010
【図１０】
0006663068.tif 000011
【図１１】
0006663068.tif 000012
【図１２】
0006663068.tif 000013
【図１３】
0006663068.tif 000014
【図１４】
0006663068.tif 000015
【図１５】
0006663068.tif 000016
【図１６】
0006663068.tif 000017
【図１７】
0006663068.tif 000018
【図１８】
0006663068.tif 000019
【図１９】
0006663068.tif 000020
【図２０】
0006663068.tif 000021
【図２１】
0006663068.tif 000022
【図２２】
0006663068.tif 000023